(57)【要約】【課題】  カードの飛び出しや排出不良を防止したカード用コネクタを提供すること。【解決手段】  カードと接続するカード用コネクタにおいて、コンタクト１３と、前記コンタクト１３が配設されたハウジング１１と、カードを離脱するためのイジェクト機構１、２、３とを備え、前記イジェクト機構１、２、３は、カード５０の嵌合離脱方向に摺動自在なイジェクトバー１と、前記イジェクトバー１を操作するカム機構と、前記イジェクトバー１を常時前記カードの離脱する方向に付勢する弾性部材３とを有し、前記イジェクトバー１は、更に、カードを保持する保持部２を有する。カード５０を離脱させる際、前記保持部２の作用により、前記イジェクトバー１が前記カード５０を保持したまま、前記カード５０と共に移動するように構成した。【選択図】      図６
2005190908.tif 000002
【特許請求の範囲】
【請求項１】
カードと接続するカード用コネクタにおいて、前記コネクタは、コンタクトと、前記コンタクトが配設されたハウジングと、カードを離脱するためのイジェクト機構とを備え、前記イジェクト機構は、カードの嵌合離脱方向に摺動自在なイジェクトバーと、前記イジェクトバーを操作するカム機構と、前記イジェクトバーを常時前記カードの離脱する方向に付勢する弾性部材とを有し、前記イジェクトバーは、更に、カードを保持する保持部を有し、
カードを離脱させる際、前記保持部の作用により、前記イジェクトバーが前記カードを保持したまま、前記カードと共に移動するようにしたことを特徴とするカード用コネクタ。
【請求項２】
請求項１記載のカード用コネクタにおいて、前記保持部は一対のバネ片によりカードを挟持したことを特徴とするカード用コネクタ。
【発明の詳細な説明】
【技術分野】
【０００１】
本発明はカード用コネクタに関する。
【背景技術】
【０００２】
従来、カードを押すたびに、挿入排出を繰り替えす、所謂、Ｗ−ＰＵＳＨ機能を備えるカード用コネクタ（以下、コネクタ）では、カードを押してコイルスプリングを変形させて得られる荷重によって、カードを押し出し排出している。
【０００３】
しかしながら、操作の仕方によっては、カードが勢い良くコネクタから飛び出してしまう問題がある。
【０００４】
その対策として、コネクタにブレーキを設置し、カードに摩擦力を作用させて飛び出しを抑える方法が一般的である。
【０００５】
図７（ａ）は従来技術によるカード用コネクタの一例を示す平面図、図７（ｂ）は（ａ）のＶＩＩＢ−ＶＩＩＢ線断面図である。図７（ａ）及び図７（ｂ）のように、カード用コネクタ１２０は、ハウジング６１とこれを覆うカバー６２とを備えている。一側部に、Ｌ字形状のイジェクトバー５１が設けられ、コイルスプリング５３によって前端部に向かって付勢されている。Ｌ字形状のイジェクトバー５１の突出部はカード５０の挿入側端部に係合して、カード５０の挿入に伴って後端に移動する。カバー６２の上面には切り込みによって形成されたブレーキ５２が内側に向かって傾斜するように設けられている。カード５０の挿入、離脱の際は図示しないハートカム機構（詳しくは、特許文献１、参照）によって、カードを押すごとに、イジェクトバーは後方で停止するロック状態及びコイルスプリング５３によって、前方に移動することを繰り返す。ブレーキ２は、弾性力を有し、カード５０の挿入の際に、カード５０によって外側に押し上げられて、カード５０の一面に常に摺接することになる。カード５０をコネクタから離脱する際には、ブレーキ２は、カード１に接触して、矢印５６で示すように力を加え、コネクタからの飛び出しを防止している。
【０００６】
しかし、コイルスプリング５３によるカード５０を排出する力よりも、摩擦力が強すぎる場合、カード５０が最後まで排出されず、コネクタ１２０内部でカード５０が止まってしまう問題が発生する可能性がある。その為、カード５０の飛び出しを抑えようとブレーキ力を高めることが困難であった。
【０００７】
また、同様にブレーキを有するカード用コネクタとしては、特許文献２、特許文献３、及び特許文献４に開示されたものがある。このカードコネクタは、ボタンを押し、レバーを介してカードを排出する構造を有している。ロックもしくはブレーキはカードをガイドする部分に設置され、ロック又はブレーキとカードガイドとで、カードを挟むことで機能し、排出する力またはボタンを押す力に対して摩擦力として働くため、排出不良の可能性がある。
【０００８】
一方、特許文献５には、イジェクトレバーを直接操作することで、カードを排出する構造となっている。ロック又はブレーキはカードをガイドする部分とで挟むことで機能し、排出する力又はレバーを操作する力に対して摩擦力として働くために、排出不良の可能性がある。
【特許文献１】特許第３３８３９１７号公報
【特許文献２】実用新案登録第２５６８４８９号公報
【特許文献３】実用新案登録第２５９７２８３号公報
【特許文献４】実開平５−６６７６８号公報
【特許文献５】特開平１１−５３４８６号公報
【発明の開示】
【発明が解決しようとする課題】
【０００９】
そこで、本発明の技術的課題は、カードの飛び出しや排出不良を防止したカード用コネクタを提供することにある。
【課題を解決するための手段】
【００１０】
本発明によれば、カードと接続するカード用コネクタにおいて、前記コネクタは、コンタクトと、前記コンタクトが配設されたハウジングと、カードを離脱するためのイジェクト機構とを備え、前記イジェクト機構は、カードの嵌合離脱方向に摺動自在なイジェクトバーと、前記イジェクトバーを操作するカム機構と前記イジェクトバーを常時前記カードの離脱する方向に付勢する弾性部材とを有し、前記イジェクトバーは、更に、カードを保持する保持部を有し、カードを離脱させる際、前記保持部の作用により、前記イジェクトバーが前記カードを保持したまま、前記カードと共に移動するようにしたことを特徴とするカード用コネクタが得られる。
【００１１】
また、本発明によれば、前記カード用コネクタにおいて、前記保持部は一対のバネ片によりカードを挟持したことを特徴とするカード用コネクタが得られる。
【発明の効果】
【００１２】
本発明によれば、カードの飛び出しや排出不良を防止した信頼性の高いカード用コネクタを提供することができる。
【発明を実施するための最良の形態】
【００１３】
以下、本発明の実施の形態について図面を参照しながら説明する。
【００１４】
図１は本発明のカード用コネクタの全体構成の一例を示す斜視図、図２は図１のカード用コネクタのカバーを除いたときの斜視図である。図３はイジェクトバーのブレーキ２付近を示す部分斜視図、図４はイジェクト機構の部分組み立て斜面視図である。
【００１５】
図１、図２、図３、及び図４を参照すると、カード用コネクタ１１０は、カード５０を押すたびに挿入、離脱を繰り返すＷ−Ｐｕｓｈ機能を備え、底部１１ａと側壁１１ｃ、１１ｄと後壁１１ｅを備えた断面コ字形状の四角の箱型のハウジング１１と、ハウジング１１の上面を覆う断面コ字形状のカバーフレーム１２とを備えている。ハウジング１１及びカバーフレーム１２からなる箱体の前端はカード５０を抜き差しするために開口した開口部１５を有している。ここで、以下の説明において、カード挿入方向を第１の方向とし、この第１の方向において、カード挿入のための開口を備えた端部を前端、その反対側を後端と呼ぶ。また、カード用コネクタの幅方向を第２の方向、高さ方向を第３の方向とし、第１乃至第３の方向は互い直交するものとする。
【００１６】
図２に示すように、ハウジング１１の底部１１ａに、第２の方向に沿って２列設けられた四角形の収容孔１１ｂから接触部１３ａを突出するように、カード５０と電気的に接続するコンタクト１３が設けられている。ハウジング１１はまた、カード５０ならびにイジェクトバー１のガイドとなる。
【００１７】
図３及び図４をも参照すると、ハウジング１１の一側部１１ｃの内側には、一側部１１ｃの内壁面に沿って第１の方向に長いイジェクトバー１と、これに係合したブレーキ２と、イジェクトバー１を第１の方向に後端から前端に向かって付勢するコイルスプリング３を備えている。また、ブレーキ２の基部を収容するイジェクトバーの部位には、ハートカム機構をなすハートカム溝１ｂが設けられている。一方、ハートカム機構の一部をなすイジェクトバー１の側部のハートカム溝１ｂに内側に突出した先端５ａが挿入されるカムフォロア５が内壁部に内側に突出したピン６に軸孔５ｂを装着することで、このピンの周囲に回動可能に設けられている。なお、ハートカム機構に関しては、詳しくは、特許文献１の段落［００１３］、［００１５］及び図４を参照されたい。尚、本発明においては、イジェクト機構は、イジェクトバー１と、ブレーキ２と、コイルスプリング３と、ハートカム機構とを含んで構成されている。
【００１８】
イジェクトバー１は、一端にカードの先端と係合するＬ字形状に突出した突起１ａを備えている。カード５０を排出する力を発生させるコイルスプリング３がカードを直接押すイジェクトバー１に作用することで、カード５０は排出される。
【００１９】
カードを保持する保持部として、ブレーキ２は、カード５０を上下又は左右から挟み込むバネ２ａ、２ａを備え、イジェクトバー１に係止されており、カード挿入、排出の際には、イジェクトバー１と一体となって動く。したがって、カード５０排出の際にカードが飛び出すのを防止する。
【００２０】
ブレーキ２は、カード挿入の際には、カード５０を挟みこむことで、一方、カード排出の際のカード５０の飛び出しを抑えることができるが、カード５０に対して上下又は左右から同じ荷重を与えることで、コイルスプリング３によるカードの排出力の妨げとなるような摩擦力を発生させない。
【００２１】
図５及び図６はブレーキ２の作用を示す断面図で、図５はカードが挿入される前、又は排出された後の状態を示し、図６はカードが装着されたときの状態を示している。
【００２２】
図５の状態から、開口１５からカード５０を挿入すると、八の字状に配置されたブレーキ２の接触片２ａが押し広げられて、図６に示すように、カードを挟み込む状態となる。ブレーキ２の接触片２ａはカード５０が挿入されるとカード５０を両面から挟み込むとともに、イジェクトバー１と一体となって移動して、収容位置において、ハートカム機構によって、コネクタに装着された状態となる。
【００２３】
一方、カードを押すと、ハートカム機構によって、イジェクトバー１の係合がはずれて、コイルバネ３によってイジェクトバー１を、カード５０とともに開口側に押し出す。ブレーキ２はイジェクトバー１に係止されており、排出の際にもカードを挟みこんだままで、イジェクトバー１と一体となって動く。
【００２４】
このように、ブレーキ２の力は、コイルスプリング３によるカード５０を排出する力に摩擦力として作用することがないので、ブレーキ力を高めることができ、また、カードが排出途中で停止することがない。また、常にカード５０を挟みこんでいるので、排出の際のカード５０の飛び出しを防止することができる。このように、高い信頼性でカード５０を排出することができる。
【００２５】
以上説明したように、カード排出機構において、ボタンを押してレバーを介してカードを排出する機構から、本発明においては、コイルスプリングにて、カードを排出する構造としたために、イジェクトバーが排出途中で停止することがない。
【００２６】
また、本発明の実施の形態においては、カードを排出するためのイジェクトバー自体にブレーキを設置し、カードをブレーキ自体で挟み込むことで、ブレーキの力自体がカードを排出する力に対して、摩擦力として機能しないので、カード排出の途中で止まってしまう排出不良がない。
【産業上の利用可能性】
【００２７】
以上説明したように、本発明に係るカード用コネクタは高い信頼性をもち、パーソナルコンピュータ（ＰＣ）のカードスロットや、携帯移動端末装置や、各種デジタル機器や電気、電子機器のカード用のコネクタに適用することができる。
【図面の簡単な説明】
【００２８】
【図１】本発明のカード用コネクタの全体構成の一例を示す斜視図である。
【図２】図１のカード用コネクタのカバーを除いたときの斜視図である。
【図３】イジェクトバーのブレーキ２付近を示す部分斜視図である。
【図４】イジェクト機構の部分組み立て斜視図である。
【図５】ブレーキ２の作用を示す断面図で、カードが挿入される前、又は排出された後の状態を示す。
【図６】ブレーキ２の作用を示す断面図で、カードが装着されたときの状態を示している。
【図７】（ａ）は従来技術によるカード用コネクタの一例を示す平面図、（ｂ）は（ａ）のＶＩＩＢ−ＶＩＩＢ線断面図である。
【符号の説明】
【００２９】
１    イジェクトバー
１ｂ    カム溝
２    ブレーキ
２ａ  接触片
３    コイルスプリング
５    カムフロア
５ａ    先端
５ｂ    軸孔
６    ピン
１１    ハウジング
１１ａ    底部
１１ｂ    収容孔
１１ｃ、１１ｄ    側壁
１１ｅ    後壁
１２    カバーフレーム
１３ａ    接触部
１３    コンタクト
１５    開口部
５０    カード
５１    イジェクトバー
５２    ブレーキ
５３    コイルスプリング
５６    矢印
６１    ハウジング
６２    カバー
１１０    カード用コネクタ
１２０    カード用コネクタ
【図１】
2005190908.tif 000003
【図２】
2005190908.tif 000004
【図３】
2005190908.tif 000005
【図４】
2005190908.tif 000006
【図５】
2005190908.tif 000007
【図６】
2005190908.tif 000008
【図７】
2005190908.tif 000009